(57)【特許請求の範囲】
【請求項１】
冷却タンクに装着され、該冷却タンクの冷却器管の一端が固着された管板に向けて超音波を照射するようにした超音波振動子と、該超音波振動子に発振出力を送信する発振機能、前記超音波振動子からの受信信号を受信する受信機能、該受信機能からの受信信号を入力する比較機能、該比較機能において、入力された受信信号と比較する予め決められた閾値信号を発生する閾値信号発生機能、前記受信信号が前記閾値信号より大きくなったときに前記比較機能から出力される信号によって発生するアラーム信号発生機能からなるパーソナルコンピュータとからなり、前記受信機能からの受信信号と前記閾値信号発生機能からの閾値信号とを前記比較機能で比較して、前記受信信号が前記閾値信号より大きくなったとき、前記比較機能から出力される比較信号によって、前記アラーム信号発生機能からアラーム信号を発生して、冷却器管が目詰まりしていることを報知することを特徴とする冷却タンクの目詰まり検出装置。
【請求項２】
前記比較機能に温度センサから入力される温度情報による温度補正機能を持つことを特徴とする請求項１記載の冷却タンクの目詰まり検出装置。
【請求項３】
前記冷却タンクは内部に間隔を開けて装着された管板にほぼ平行な複数の冷却器管の両端がそれぞれ固着され、該冷却器管の一端の流入口から流入された冷却液が前記冷却器管を通過して流れ、前記冷却器管の間を冷却される液体が通過するように側面に液体流入管体及び対向部に液体流出管体が装着され、前記複数の冷却器管の一端が固着された管板に向けて前記超音波振動子から超音波を照射するようにしたことを特徴とする請求項１〜２記載の冷却タンクの目詰まり検出装置。
【発明の詳細な説明】
【技術分野】
【０００１】
本発明は、発電所に設置された冷却装置が付着物質による目詰まりを検出する冷却タンクの目詰まり検出装置に関するものである。
【背景技術】
【０００２】
従来、発電所における冷却装置としては、図３及び図４に示すように、冷却タンク１の端部に冷却水の流入口２と流出口３が装着され、冷却タンク１の流入口２の近傍に管板４が固着され、流出口３の近傍に管板５が固着され、管板４，５に複数の孔が形成され、これらの孔に複数の冷却器管６の端部が挿入されて固着され、流入口２の近傍の冷却タンク１にのぞき窓７が形成され、冷却タンク１の側面に冷却された液体が流入する流入口８及び冷却された液体が流出する流出口９が固着されている。
【０００３】
このように構成された冷却タンク１では、図５に示すように、仕切り板４から冷却器管６の導入口６ａを見ると、冷却器管６の内部がみえているが、冷却水として海水を使用しているので、図６に示すように、冷却器管６の導入口６ａや冷却器管６の内部に付着生物や冷却水に浮遊している泥が付着し、冷却器管６の導入口６ａが塞がって、冷却水の流量が低下し、冷却効果が悪くなったり、冷却器管６の漏洩を引き起こし、冷却ができなくなるという問題があり、この冷却ができなくなる状態を検知する必要があるという問題があった。又、冷却器管経路内に泥や付着生物が付着すると、流体抵抗の増加により取水ポンプの負荷が増大し、冷却効率が低下し、冷却器管の閉塞というような被害を与えるために、定期的に清掃や付着生物対策を行う必要があるが、冷却器内部の汚れ具合を確認する方法がなく、的確な洗浄タイミングが把握できないという問題があった。
【特許文献１】特開平９−１７８３７３号公報
【発明の開示】
【発明が解決しようとする課題】
【０００４】
解決しようとする問題点は、従来の冷却装置では、側壁や冷却器管６の導入口６ａや冷却器管６の内部に付着生物や冷却水に浮遊している泥が付着し、冷却器管６の導入口６ａが塞がって、冷却水の流量が低下し、冷却ができなくなるという問題があり、この冷却ができなくなる状態を検知する必要があるという問題があった。
【課題を解決するための手段】
【０００５】
本発明では、冷却タンクに装着され、該冷却タンクの冷却器管の一端が固着された管板に向けて超音波を照射するようにした超音波振動子と、該超音波振動子に発振出力を送信する発振機能、前記超音波振動子からの受信信号を受信する受信機能、該受信機能からの受信信号を入力する比較機能、該比較機能において、入力された受信信号と比較する予め決められた閾値信号を発生する閾値信号発生機能、前記受信信号が前記閾値信号より大きくなったときに前記比較機能から出力される信号によって発生するアラーム信号発生機能からなるパーソナルコンピュータとからなり、前記受信機能からの受信信号と前記閾値信号発生機能からの閾値信号とを前記比較機能で比較して、前記受信信号が前記閾値信号より大きくなったとき、前記比較機能から出力される比較信号によって、前記アラーム信号発生機能からアラーム信号を発生して、冷却器管が目詰まりしていることを報知するものであり、又、前記比較機能に温度センサから入力される温度情報による温度補正機能を持つことを特徴とするものであり、さらに、前記冷却タンクは内部に間隔を開けて装着された管板にほぼ平行な複数の冷却器管の両端がそれぞれ固着され、該冷却器管の一端の流入口から流入された冷却液が前記冷却器管を通過して流れ、前記冷却器管の間を冷却される液体が通過するように側面に液体流入管体及び対向部に液体流出管体が装着され、前記複数の冷却器管の一端が固着された管板に向けて前記超音波振動子から超音波を照射するようにしたことを特徴とするものである。
【発明の効果】
【０００６】
本発明の冷却タンクの目詰まり検出装置では、冷却装置又はのぞき窓に超音波振動子を装着し、パーソナルコンピュータの発振機能によって超音波振動子に発振信号を印可し、超音波振動子から照射される超音波の反射波が管板に向けて照射されると、その反射波は管板の冷却器管の孔からの反射波がないことによって冷却器管が目詰まりしていないことを検出し、反射波信号が強くなることによって目詰まりが多くなるので、予め決められた閾値により反射信号が強くなると、目詰まりしていることをアラーム等で報知することができるという利点がある。
【発明を実施するための最良の形態】
【０００７】
本発明では、冷却タンク又は管板に固着された冷却器管の面を超音波振動子から超音波を照射し、その反射波をパーソナルコンピュータの受信機能で受信し、受信した信号を比較機能で予め決められた閾値信号と順次比較し、受信信号が予め決められた閾値信号より強くなるとアラームで報知するものである。
【実施例】
【０００８】
図１は本発明の実施例の冷却タンクの目詰まり検出装置の構成図で、１は冷却タンクで、超音波振動子１０は冷却タンク１の内部の側壁１ａに装着されて対向する側壁に向けて超音波が照射され、又超音波振動子１０はパーソナルコンピュータ１１の発振機能１１ａ及び受信機能１１ｂに接続され、受信機能１１ｂは比較機能１１ｃに接続され、比較機能１１ｃに閾値信号発生機能１１ｄから閾値信号が入力され、又、比較機能１１ｃの出力側にアラーム信号発生機能１１ｅが接続されている。
【０００９】
このように構成された本実施例の冷却装置の目詰まり検出装置では、冷却タンク１の側壁１ａに装着された超音波振動子１０にパーソナルコンピュータ１１の発振機能１１ａから一定時間毎に発信出力が印可されると、超音波振動子１０から超音波が対向壁１ｂに向けて照射されるが、付着生物や冷却水に浮遊している泥が堆積していない状態であれば、反射波はそのまま超音波振動子１０に戻るので、受信信号に変化はないが、超音波振動子１０の対向壁面１ｂに付着生物や冷却水に浮遊している泥が堆積すると、超音波振動子１０と対向壁面１ｂとの間隔が狭くなるため、超音波の反射波が強くなると、パーソナルコンピュータ１１の受信機能１１ｂで受信して、比較機能１１ｃで閾値信号発生機能１１ｄからの閾値信号と比較することにより、受信信号の受信量が閾値信号より高くなり、それによって比較機能１１ｃから信号が出力され、この信号でアラーム信号発生機能よりアラーム信号が発生し、このアラーム信号でブザー等からアラームが発生する。
【００１０】
本発明は、このように、冷却タンク１の壁面に付着生物や冷却水に浮遊している泥が堆積することを超音波により非接触で検知することができるという利点がある。
【００１１】
図２は本発明の他の実施例の冷却タンクの目詰まり検出装置の構成図で、１は冷却タンク、４は管板、６ａは冷却器管６の導入口、７はのぞき窓で、これらの構成は上記従来例と同じ構成であるので、説明は省略するが、本実施例では、のぞき窓７に接触して超音波振動子１０が装着され、超音波振動子１０はパーソナルコンピュータ１１の発振機能１１ａ及び受信機能１１ｂに接続され、受信機能１１ｂは比較機能１１ｃに接続され、比較機能１１ｃに閾値信号発生機能１１ｄから閾値信号が入力され、又、比較機能１１ｃの出力側にアラーム信号発生機能１１ｅが接続されている。
【００１２】
このように構成された本実施例の冷却装置の目詰まり検出装置では、冷却タンク１ののぞき窓７に接触して装着された超音波振動子１０にパーソナルコンピュータ１１の発振機能１１ａから一定時間毎に発信出力が印可されると、超音波振動子１０から超音波が管板４に向けて照射されるが、図５に示すように、管板４に固着された冷却器管６に目詰まりがなけれぱ、管板４から超音波が反射されるが、冷却器管６の導入口６ａが孔になっており、反射波は逸れて超音波振動子１０に戻らないので、超音波の受信量が少なく、従って、受信された超音波が受信機能１１ｃに入力され、閾値信号発生器１１ｄからの閾値信号より強度が低いので、比較機能１１ｃからアラーム信号は発生しない。
【００１３】
ここで、時間が経て図６に示すように管板４に固着されている冷却器管６の端部６ａに目詰まりが生じると、超音波振動子１０から照射された超音波は管板５の冷却器管６の導入口６ａからの反射信号が強くなるので、パーソナルコンピュータ１１の受信機能１１ｂで受信して、比較機能１１ｃで閾値信号発生機能１１ｄからの閾値信号と比較すると、受信信号の受信量が多くなることにより、比較機能１１ｃから信号が出力され、それによってアラーム信号発生機能よりアラーム信号が発生し、このアラーム信号でブザー等からアラームが発生する。
【００１４】
本発明は、このように、冷却タンク１の管板４に一端が固着された冷却器管６の目詰まりをのぞき窓７に装着した超音波振動子１０からの超音波により、非接触で検知することができるという利点がある。
【産業上の利用可能性】
【００１５】
なお、上記実施例において、パーソナルコンピュータ１１の比較機能１１ｃに温度センサから入力される温度情報による温度補正機能を持つようにしてもよいし、冷却タンク１の多数の冷却器管６の目詰まりを検出するように構成したが、細管を設けた他の冷却装置においても使用することができる。
【図面の簡単な説明】
【００１６】
【図１】本発明の実施例の冷却タンクの目詰まり検出装置の構成図である。
【図２】本発明の実施例の冷却タンクの目詰まり検出装置の構成図である。
【図３】従来の冷却タンクの側面断面図である。
【図４】図３の冷却タンクの断面図である。
【図５】図３の冷却タンクの管板の一部の平面図である。
【図６】図３の冷却タンクの目詰まりした管板の一部の平面図である。
【符号の説明】
【００１７】
１                冷却タンク
２                流入口
３                流出口
４、５            管板
６                冷却器管
７                のぞき窓
８                流入口
９                流出口
１０              超音波振動子
１１              パーソナルコンピュータ
【図１】
0005681863.tif 000002
【図２】
0005681863.tif 000003
【図３】
0005681863.tif 000004
【図４】
0005681863.tif 000005
【図５】
0005681863.tif 000006
【図６】
0005681863.tif 000007